(57)【要約】【課題】冷蔵室又は冷凍室の断熱材として硬質ウレタンフォームと真空断熱材とを併用した冷蔵庫であって、解体の際に真空断熱材の埋設位置の判断が容易であり、外し残しが生じない冷蔵庫を提供する。【解決手段】断熱材に硬質ウレタンフォームと真空断熱材を用いた冷蔵庫において、冷蔵庫の側面、背面、又は天井面に前記真空断熱材を埋設し、真空断熱材の埋設位置を図により表示するラベルを冷蔵庫の背面に設けるか、又は真空断熱材の埋設位置を表示する図を冷蔵庫の背面に直接刻印又は印刷する。【選択図】 図３
2010065994.tif 000002
【特許請求の範囲】
【請求項１】
断熱材に硬質ウレタンフォームと真空断熱材を用いた冷蔵庫において、
前記冷蔵庫の側面に前記真空断熱材を埋設し、
前記真空断熱材の埋設位置を図により表示するラベルを、前記冷蔵庫の背面に設けたことを特徴とする冷蔵庫。
【請求項２】
断熱材に硬質ウレタンフォームと真空断熱材を用いた冷蔵庫において、
前記冷蔵庫の背面に前記真空断熱材を埋設し、
前記真空断熱材の埋設位置を図により表示するラベルを、前記冷蔵庫の背面に設けたことを特徴とする冷蔵庫。
【請求項３】
断熱材に硬質ウレタンフォームと真空断熱材を用いた冷蔵庫において、
前記冷蔵庫の天井面に前記真空断熱材を埋設し、
前記真空断熱材の埋設位置を図により表示するラベルを、前記冷蔵庫の背面に設けたことを特徴とする冷蔵庫。
【請求項４】
断熱材に硬質ウレタンフォームと真空断熱材を用いた冷蔵庫において、
前記冷蔵庫の側面に前記真空断熱材を埋設し、
前記真空断熱材の埋設位置を表示する図を、前記冷蔵庫の背面に直接刻印又は印刷したことを特徴とする冷蔵庫。
【請求項５】
断熱材に硬質ウレタンフォームと真空断熱材を用いた冷蔵庫において、
前記冷蔵庫の背面に前記真空断熱材を埋設し、
前記真空断熱材の埋設位置を表示する図を、前記冷蔵庫の背面に直接刻印又は印刷したことを特徴とする冷蔵庫。
【請求項６】
断熱材に硬質ウレタンフォームと真空断熱材を用いた冷蔵庫において、
前記冷蔵庫の天井面に前記真空断熱材を埋設し、
前記真空断熱材の埋設位置を表示する図を、前記冷蔵庫の背面に直接刻印又は印刷したことを特徴とする冷蔵庫。
【発明の詳細な説明】
【技術分野】
【０００１】
本発明は、断熱材として硬質ウレタンフォームと真空断熱材とを併用した冷蔵庫に関する。
【背景技術】
【０００２】
冷蔵庫の断熱材としては、硬質ウレタンフォームが主として用いられてきたが、近年、硬質ウレタンフォームより断熱性能の優れた真空断熱材を使用するケースが増加している。真空断熱材とは、芯材を外被材で覆って内部を減圧、封止したものであり、冷蔵庫に使用されるものは通常パネル状をなしている。
【０００３】
真空断熱材の芯材及び外皮材としては種々のものが使用され、外皮材としては、ポリエステルフィルムやナイロンフィルム、ポリエチレンフィルム等の複合ラミネートフィルム等が多く使用されているが、芯材に例えば無機粉末が使用される場合もあり、このような異種材料の組合せからなるためにリサイクルが困難であり、通常は冷蔵庫から取り外した後、埋立や焼却により処分されている。
【０００４】
これに鑑みて真空断熱材のリサイクル率を向上させるために、例えば、特開２００２−１８８７９１号公報には、ポリエステル集綿体等を芯材とし、ダイヤモンドライクカーボンの薄膜を固着したラミネートフィルムとからなる外被材から構成された真空断熱材を冷蔵庫に使用すること、及び使用している真空断熱材の材料種別を冷蔵庫に表示することが提案されている。
【０００５】
しかしながら、断熱材として真空断熱材を単独で用いることは強度等の面から困難であり、例えば特開平１０−２０５９９５号公報に記載されているように、硬質ウレタンフォームと併用されているのが現状である。
【０００６】
真空断熱材を廃棄するにしても、リサイクルするにしても、リサイクル工場での冷蔵庫の解体時に分別する必要があり、手作業で取り外している。ところが、上記のように真空断熱材とウレタンフォームが併用されている状況下で、真空断熱材を使用する機種が増加し、使用枚数も増加すると、どの部分に真空断熱材が埋設されているかの判別が困難となり、取り外し作業に支障を来たすという問題が生じつつある。
【先行技術文献】
【特許文献】
【０００７】
【特許文献１】特開２００２−１８８７９１号公報
【特許文献２】特開平１０−２０５９９５号公報
【発明の概要】
【発明が解決しようとする課題】
【０００８】
本発明は上記に鑑みてなされたものであり、冷蔵室又は冷凍室の断熱材として硬質ウレタンフォームと真空断熱材とを併用した冷蔵庫であって、解体の際に真空断熱材の埋設位置の判断が容易であり、外し残しが生じない冷蔵庫を提供することを目的とする。
【課題を解決するための手段】
【０００９】
請求項１の冷蔵庫は、上記の課題を解決するために、断熱材に硬質ウレタンフォームと真空断熱材を用いた冷蔵庫において、その冷蔵庫の側面に上記真空断熱材を埋設し、この真空断熱材の埋設位置を図により表示するラベルを、その冷蔵庫の背面に設けたものとする。
【００１０】
請求項２の冷蔵庫は、断熱材に硬質ウレタンフォームと真空断熱材を用いた冷蔵庫において、その冷蔵庫の背面に上記真空断熱材を埋設し、この真空断熱材の埋設位置を図により表示するラベルを、その冷蔵庫の背面に設けたものとする。
【００１１】
請求項３の冷蔵庫は、断熱材に硬質ウレタンフォームと真空断熱材を用いた冷蔵庫において、その冷蔵庫の天井面に上記真空断熱材を埋設し、この真空断熱材の埋設位置を図により表示するラベルを、冷蔵庫の背面に設けたものとする。
【００１２】
請求項４の冷蔵庫は、断熱材に硬質ウレタンフォームと真空断熱材を用いた冷蔵庫において、その冷蔵庫の側面に上記真空断熱材を埋設し、この真空断熱材の埋設位置を表示する図を、その冷蔵庫の背面に直接刻印又は印刷したものとする。
【００１３】
請求項５の冷蔵庫は、断熱材に硬質ウレタンフォームと真空断熱材を用いた冷蔵庫において、その冷蔵庫の背面に上記真空断熱材を埋設し、この真空断熱材の埋設位置を表示する図を、その冷蔵庫の背面に直接刻印又は印刷したものとする。
【００１４】
請求項６の冷蔵庫は、断熱材に硬質ウレタンフォームと真空断熱材を用いた冷蔵庫において、その冷蔵庫の天井面に上記真空断熱材を埋設し、この真空断熱材の埋設位置を表示する図を、その冷蔵庫の背面に直接刻印又は印刷したものとする。
【発明の効果】
【００１５】
請求項１〜６の冷蔵庫によれば、硬質ウレタンフォームと真空断熱材を併用した冷蔵庫において、真空断熱材の埋設位置の判断が容易であり、取り外し作業をスムーズに行うことができる。
【図面の簡単な説明】
【００１６】
【図１】硬質ウレタンフォームと真空断熱材を併用した冷蔵庫の例を示す、正面から見た縦断面図である。
【図２】図１の冷蔵庫の、側面から見た縦断面図である。
【図３】真空断熱材の埋設位置等を示す表示ラベルの一例を示す図である。
【発明を実施するための形態】
【００１７】
図１及び図２は硬質ウレタンフォームと真空断熱材を併用した冷蔵庫の例を示す縦断面図であり、図１は正面から見た図、図２は側面から見た図である。両図において、符号１は冷蔵室、符号２は野菜室、符号３は冷凍室、符号４は硬質ウレタンフォーム、符号５は真空断熱材、矢印は冷気の流動方向を示す。
【００１８】
これらの図に示されたように、本例の冷蔵庫においては、両側面に各１枚、背面に１枚、天井面に１枚、冷凍庫扉（最下段）に１枚の真空断熱材が硬質ウレタンフォームに埋設されている。
【００１９】
このような冷蔵庫の真空断熱材の埋設位置を示すために、例えば図３に示すようなラベルを冷蔵庫のキャビネット背面等に貼付する。
【００２０】
本例のラベルには、真空断熱材の埋設位置と共にその枚数、及び埋設位置を示す図が併記されている。このように、埋設位置と共に埋設枚数も記載することにより、１の面に複数の真空断熱材が埋設されている場合に、外し残しを防止することができる。また、本図に示すような簡単な図を併記することにより、埋設位置を正確に、かつ直感的に理解させることが可能となる。但し、図３に示したラベルの表示項目や表示の仕方は一例であり、本発明は、これに限定されるものではない。
【００２１】
埋設位置等の表示方法の例としては、上記のようなラベルを付すること以外に、刻印や印刷を冷蔵庫に直接施すことが挙げられる。
【００２２】
上記したラベル等による埋設位置等の表示位置としては、キャビネット背面等の意匠を損なわない場所が好ましい。
【符号の説明】
【００２３】
１……冷蔵室
２……野菜室
３……冷凍室
４……硬質ウレタンフォーム
５……真空断熱材
【図１】
2010065994.tif 000003
【図２】
2010065994.tif 000004
【図３】
2010065994.tif 000005